(57)【要約】      （修正有）【課題】枕の頭載置部位および首載置部位の高さを空気により調節できるようにした枕等の寝具を提供する。【解決手段】頭載置部位収納部および首載置部位収納部が前後に仕切られて形成された枕外袋２と、枕外袋２の頭載置部位収納部内に収納される頭載置部位内袋と、枕外袋２の首載置部位収納部内に収納される首載置部位内袋と、頭載置部位内袋および首載置部位内袋に詰められる中材と、枕外袋２の下面側に前後に複数連設された左右方向の空気チューブ挿入部２３と、空気チューブ挿入部２３に選択的に挿入される１つ以上の空気チューブ４とを備え、使用者が枕１に頭および首を載せた状態で空気チューブ４に空気を注入して各空気チューブ４の空気の注入量をそれぞれ調節することにより、枕１の頭載置部位および首載置部位の高さを個別に調節できる。【選択図】図１
0003163913.tif 000002
【実用新案登録請求の範囲】
【請求項１】
頭載置部位収納部および首載置部位収納部が前後に仕切られて形成された枕外袋と、
前記頭載置部位収納部内に収納される頭載置部位内袋と、
前記首載置部位収納部内に収納される首載置部位内袋と、
前記頭載置部位内袋および前記首載置部位内袋に詰められる中材と、
前記枕外袋の下面側に前後に複数連設された左右方向の空気チューブ挿入部と、
前記空気チューブ挿入部に選択的に挿入される１つ以上の空気チューブと
を備えることを特徴とする枕。
【請求項２】
前記枕外袋の前記頭載置部位収納部は、中央部が前記首載置部位収納部に膨出するように仕切られて形成されていて、
前記頭載置部位内袋は、前中央内袋部と、前記前中央内袋部の後側に仕切られて一体的に形成された後中央内袋部と、前記前中央内袋部および前記後中央内袋部の左側に仕切られて一体的に形成された左内袋部と、前記前中央内袋部および前記後中央内袋部の右側に仕切られて一体的に形成された右内袋部とから構成され、前記前中央内袋部，前記後中央内袋部，前記左内袋部および前記右内袋部内に所望の中材が所望の量だけ詰められるようになっており、
前記首載置部位内袋は、前側が凹状に湾曲形成された中央内袋部と、前記中央内袋部の左側に仕切られて一体的に形成された左内袋部と、前記中央内袋部の右側に仕切られて一体的に形成された右内袋部とから構成され、前記中央内袋部，前記左内袋部および前記右内袋部内に所望の中材が所望の量だけ詰められるようになっていることを特徴とする請求項１記載の枕。
【請求項３】
弾性フォーム板体と、前記弾性フォーム板体を収納する敷布団内袋と、前記弾性フォーム板体を収納する前記敷布団内袋をさらに収納する敷布団外袋とを備える敷布団において、
前記敷布団内袋の下面側に前後に複数連設された左右方向の空気チューブ挿入部と、
前記空気チューブ挿入部に選択的に挿入される１つ以上の空気チューブと
を備えることを特徴とする敷布団。
【考案の詳細な説明】
【技術分野】
【０００１】
本考案は、枕、敷布団等の寝具に関し、詳しくは空気によって高さが調節可能な枕、敷布団等の寝具に関する。
【背景技術】
【０００２】
人は、仰向けに横たわった際の頸椎のカーブの深さが異なっており、このため、枕の高さを頸椎のカーブの深さに合わせて調節することが一般的に行われている。特に、空気によって枕の高さを調節することが広く行われている。例えば、従来の枕は、内部に空気を保持する空気袋と、空気袋の一面側に配置され、かつ、内部に中材が収納された中材収納部とを備え、空気袋への空気の注入量を調節して枕の高さを調節していた（例えば、特許文献１参照）。
【０００３】
また、人は、仰向けに横たわった際の頸椎のカーブの深さと横向きに寝返った際の側頭部と肩との段差とが異なっており、このため、枕を中央仰向けエリアと左右横向きエリアとに分けて、両エリアの高さを異ならせて寝返りをスムーズに行えるようにしたものが提案されている（例えば、特許文献２参照）。
【０００４】
一方、人は、仰向けに横たわった際の背中、腰等のカーブの深さが異なっており、このため、敷布団（マットレス）の高さを背中、腰等のカーブの深さに合わせて調節することが一般的に行われている。特に、空気によって敷布団の高さを調節することが広く行われている。例えば、従来の敷布団は、ボトムカバーおよびトップカバーによって第１ウレタンフォーム板、圧縮袋および第２ウレタンフォーム板を包み込んだ際に、空気吸引バルブの接続部を突出させ、接続部に掃除機を接続して、包み込んだカバー部材内側の空気を吸引し、マットレスの厚さおよび硬さを調節していた（例えば、特許文献３参照）。
【先行技術文献】
【特許文献】
【０００５】
【特許文献１】特開２００２−２３８７１６号公報
【特許文献２】特開２００８−０６７８１１号公報
【特許文献３】特開平１０−０１４９９２号公報
【考案の概要】
【考案が解決しようとする課題】
【０００６】
従来の枕は、空気袋に空気を注入し、空気袋への空気の注入量を増減することによって、枕の高さを調節していたので、使用者の頸椎のカーブの深さに合わせて枕の頭載置部位および首載置部位の高さを個別に調節することができないという問題点があった。
【０００７】
また、使用者が仰向けに寝た姿勢（仰向け寝姿勢）で枕の高さを調節した場合には、使用者の横向きに寝た姿勢（横向き寝姿勢）では側頭部と肩との段差に合わせた枕の高さが得られないという問題点があった。
【０００８】
一方、従来の敷布団は、圧縮袋に空気を注入して、敷布団の高さを一律に調節していたので、使用者が仰向けに横たわった際の腰のカーブの深さに合わせて敷布団の高さを調節した場合には、敷布団の高さが背中のカーブの深さに適さず、背中のカーブの深さに合わせて敷布団の高さを調節した場合には、敷布団の高さが腰のカーブの深さに適さないという問題点があった。
【０００９】
本考案の目的は、上述の点に鑑み、空気により枕の頭載置部位および首載置部位の高さを、使用者の頸椎のカーブの深さに合わせて個別に調節できるようにした枕を提供することにある。
【００１０】
また、本考案の他の目的は、空気により枕の頭載置部位および首載置部位の高さを、使用者の頸椎のカーブの深さに合わせて個別に調節できるとともに、枕の横向きエリアの高さを、使用者の頭側部と肩との段差に合わせて個別に調節できるようにした枕を提供することにある。
【００１１】
さらに、本考案の別の目的は、空気により敷布団の長手方向部位の高さを使用者の身体部位のカーブに合わせて個別に調節できるようにした敷布団を提供することにある。
【課題を解決するための手段】
【００１２】
請求項１に記載の枕は、頭載置部位収納部および首載置部位収納部が前後に仕切られて形成された枕外袋と、前記枕外袋の頭載置部位収納部内に収納される頭載置部位内袋と、前記枕外袋の首載置部位収納部内に収納される首載置部位内袋と、前記頭載置部位内袋および前記首載置部位内袋に詰められる中材と、前記枕外袋の下面側に前後に複数連設された左右方向の空気チューブ挿入部と、前記空気チューブ挿入部に選択的に挿入される１つ以上の空気チューブとを備えることを特徴とする。
【００１３】
請求項２に記載の枕は、請求項１記載の枕において、前記枕外袋の前記頭載置部位収納部は、中央部が前記首載置部位収納部に膨出するように仕切られて形成されていて、前記頭載置部位内袋は、前中央内袋部と、前記前中央内袋部の後側に仕切られて一体的に形成された後中央内袋部と、前記前中央内袋部および前記後中央内袋部の左側に仕切られて一体的に形成された左内袋部と、前記前中央内袋部および前記後中央内袋部の右側に仕切られて一体的に形成された右内袋部とから構成され、前記前中央内袋部，前記後中央内袋部，前記左内袋部および前記右内袋部内に所望の中材が所望の量だけ詰められるようになっており、前記首載置部位内袋は、前側が凹状に湾曲形成された中央内袋部と、前記中央内袋部の左側に仕切られて一体的に形成された左内袋部と、前記中央内袋部の右側に仕切られて一体的に形成された右内袋部とから構成され、前記中央内袋部，前記左内袋部および前記右内袋部内に所望の中材が所望の量だけ詰められるようになっていることを特徴とする。
【００１４】
請求項３に記載の敷布団は、弾性フォーム板体と、前記弾性フォーム板体を収納する敷布団内袋と、前記弾性フォーム板体を収納する前記敷布団内袋をさらに収納する敷布団外袋とを備える敷布団において、前記敷布団内袋の下面側に前後に複数連設された左右方向の空気チューブ挿入部と、前記空気チューブ挿入部に選択的に挿入される１つ以上の空気チューブとを備えることを特徴とする。
【考案の効果】
【００１５】
本考案によれば、枕外袋の下面側に前後に複数連設された左右方向の空気チューブ挿入部に１つ以上の空気チューブを選択的に挿入した状態で、枕に使用者が頭および首を載せ、空気チューブに空気を注入し、各空気チューブに対する空気の注入量をそれぞれ調節することにより、枕の頭載置部位および首載置部位の高さを、使用者の頸椎のカーブの深さに合わせて個別に調節することができるという効果がある。
【００１６】
また、本考案によれば、頭載置部位内袋が前中央内袋部、後中央内袋部、左内袋部および右内袋部から構成され、首載置部位内袋が、中央内袋部、左内袋部および右内袋部から構成されているので、空気により枕の頭載置部位および首載置部位の高さを、使用者の頸椎のカーブの深さに合わせて個別に調節できるとともに、枕の横向きエリアの高さを、使用者の頭側部と肩との段差に合わせて個別に調節できるという効果がある。
【００１７】
一方、本考案によれば、弾性フォーム板体、敷布団内袋および敷布団外袋を備える敷布団において、敷布団内袋の下面側に前後に複数連設された左右方向の空気チューブ挿入部に選択的に挿入される１つ以上の空気チューブを備えるので、空気チューブを敷布団内袋の下面側の空気チューブ挿入部に挿入し、敷布団に使用者が仰向けまたは横向きに寝た状態で、各空気チューブに空気を注入することにより、敷布団の長手方向部位の高さを使用者の身体部位のカーブに合わせて部分的に調節できるという効果がある。
【図面の簡単な説明】
【００１８】
【図１】（ａ）および（ｂ）は本考案の実施例１に係る寝具としての枕の上面斜視図および下面斜視図である。
【図２】（ａ）および（ｂ）は本考案の実施例１に係る寝具としての枕における頭載置部位内袋および首載置部位内袋の平面図である。
【図３】本考案の実施例１に係る寝具としての枕における空気チューブの平面図である。
【図４】本考案の実施例１に係る寝具としての枕の使用状態説明図である。
【図５】本考案の実施例１に係る寝具としての枕の使用状態説明図である。
【図６】本考案の実施例２に係る寝具としての敷布団の上面斜視図である。
【図７】（ａ）および（ｂ）は本考案の実施例２に係る寝具としての敷布団の敷布団内袋の上面斜視図および下面図である。
【図８】本考案の実施例２に係る寝具としての敷布団の空気チューブの平面図である。
【考案を実施するための形態】
【００１９】
以下、本考案の実施例について図面を参照して詳細に説明する。
【実施例１】
【００２０】
図１（ａ）および（ｂ）は、本考案の実施例１に係る寝具としての枕１の上面斜視図および下面斜視図、図２（ａ）および（ｂ）は本考案の実施例１に係る寝具としての枕１における頭載置部位内袋３１および首載置部位内袋３２の平面図、図３は実施例１に係る寝具としての枕１における空気チューブ４の平面図、図４および図５は実施例１に係る寝具としての枕１の使用状態説明図である。以下、枕１を上側から見て、頭載置部位側を前、首載置部位側を後、前後方向に対する左右側を左右という。
【００２１】
図１（ａ）および（ｂ）ならびに図２（ａ）および（ｂ）に示すように、実施例１に係る寝具としての枕１は、頭載置部位収納部２１および首載置部位収納部２２が前後に仕切られて一体的に形成された枕外袋２と、枕外袋２の頭載置部位収納部２１内に収納される頭載置部位内袋３１と、枕外袋２の首載置部位収納部２２内に収納される首載置部位内袋３２と、頭載置部位内袋３１および首載置部位内袋３２に詰められる中材（図示せず）と、枕外袋２の下面側に前後に３つ連設された左右方向の空気チューブ挿入部２３と、空気チューブ挿入部２３に選択的に挿入される１つ以上の空気チューブ４とから、その主要部が構成されている。
【００２２】
枕外袋２は、図１（ａ）および（ｂ）に示すように、頭および首を支持可能な大きさを持つ長方形状の布製中空袋体で形成されている。枕外袋２は、上面側が通気性を持つハニカムメッシュで形成され、下面側に左右方向の空気チューブ挿入部２３が前後に３つ連設されている。頭載置部位収納部２１は、左右中央部が首載置部位収納部２２に膨出するように仕切られて形成されている。逆に言えば、首載置部位収納部２２は、左右中央部が頭載置部位収納部２１に進入されるように仕切られて形成されている。頭載置部位収納部２１の側面部にはファスナー２１aが、首載置部位収納部２２１の側面部にはファスナー２２ａが設けられている。
【００２３】
頭載置部位内袋３１は、図２（ａ）に示すように、左右に長い布製中空袋体で形成され、前中央内袋部３１１と、前中央内袋部３１１の後側に仕切られて一体的に形成された後中央内袋部３１２と、前中央内袋部３１１および後中央内袋部３１２の左側に仕切られて一体的に形成された左内袋部３１３と、前中央内袋部３１１および後中央内袋部３１２の右側に仕切られて一体的に形成された右内袋部３１４とから構成されている。前中央内袋部３１１の前側縁に沿ってファスナー３１１ａが取り付けられ、ファスナー３１１ａを開閉することによって前中央内袋部３１１内に所望の中材が所望の量だけ詰められるようになっている。また、後中央内袋部３１２の後側縁に沿ってファスナー３１２ａが取り付けられ、ファスナー３１２ａを開閉することによって後中央内袋部３１２内に所望の中材が所望の量だけ詰められるようになっている。さらに、左内袋部３１３の左側縁に沿ってファスナー３１３ａが取り付けられ、ファスナー３１３ａを開閉することによって左内袋部３１３内に所望の中材が所望の量だけ詰められるようになっている。さらにまた、右内袋部３１４の右側縁に沿ってファスナー３１４ａが取り付けられ、ファスナー３１４ａを開閉することによって右内袋部３１４内に所望の中材が所望の量だけ詰められるようになっている。
【００２４】
首載置部位内袋３２は、図２（ｂ）に示すように、左右に長い布製中空袋体で形成され、前側縁が凹状に湾曲形成された中央内袋部３２１と、中央内袋部３２１の左側に仕切られて一体的に形成された左内袋部３２２と、中央内袋部３２１の右側に仕切られて一体的に形成された右内袋部３２３とから構成されている。中央内袋部３２１の前側縁に沿ってファスナー３２１ａが取り付けられ、ファスナー３２１ａを開閉することによって中央内袋部３２１内に所望の中材が所望の量だけ詰められるようになっている。また、左内袋部３２２の左側縁に沿ってファスナー３２２ａが取り付けられ、ファスナー３２２ａを開閉することによって左内袋部３２２内に所望の中材が所望の量だけ詰められるようになっている。さらに、右内袋部３２３の右側縁に沿ってファスナー３２３ａが取り付けられ、ファスナー３２３ａを開閉することによって右内袋部３２３内に所望の中材が所望の量だけ詰められるようになっている。
【００２５】
なお、中材（詰物）としては、使用者の枕１の硬さや感触等の好みに応じて、ポリエステル綿、エラストマーパイプ、ポリエチレンパイプ、そばがら等が詰められる。
【００２６】
空気チューブ４は、図３に示すように、ポリ塩化ビニル等の気密性のある柔軟性シートで熱圧着等により袋状に形成された長尺袋状部４１と、長尺袋状部４１の一端部に空気を注入するために取り付けられた空気注入逆止弁４２と、長尺袋状部４１の他端部の一側面に貼設され空気注入逆止弁４２側に開口する挿入補助用ポケット４３とから構成されている。空気チューブ４は、通常、枕１に対して２つ付属されていて、空気チューブ挿入部２３の１つまたは２つに挿入して使用される。なお、空気チューブ４に対し空気注入逆止弁４２を通じて空気を注入する空気注入手段として、空気注入ポンプ（図示せず）等を使用することができる。
【００２７】
次に、このように構成された本実施例１に係る寝具として枕１の使用方法について説明する。
【００２８】
まず、使用者は、頭載置部位内袋３１を手にとり、ファスナー３１１ａ、３１２ａ、３１３ａおよび３１４ａを開閉することにより、前中央内袋部３１１、後中央内袋部３１２、左内袋部３１３および右内袋部３１４内にそれぞれ所望の中材を所望の量だけ詰める。
【００２９】
同様に、使用者は、首載置部位内袋３２を手にとり、ファスナー３２１ａ、３２２ａおよび３２３ａを開閉することにより、中央内袋部３２１、左内袋部３２２および右内袋部３２３内にそれぞれ所望の中材を所望の量だけ詰める。
【００３０】
次に、使用者は、枕外袋２を手にとり、ファスナー２１ａおよび２２ａを開閉することにより、頭載置部位収納部２１および首載置部位収納部２２内にそれぞれ頭載置部位内袋３１および首載置部位内袋３２を収納する。
【００３１】
続いて、使用者は、図４中に示すように、枕１の中央仰向けエリアに頭および首を載せて仰向け寝姿勢をとり、枕１の頭載置部位および首載置部位の高さがおおよそ自身の頸椎のカーブの深さに合っているかどうかを確かめる。この仰向け寝姿勢では、使用者の頭は頭載置部位内袋３１の前中央内袋部３１１および後中央内袋部３１２の反発支持力ＡおよびＢでそれぞれ支持され、使用者の首は首載置部位内袋３２の中央内袋部３２１の反発支持力Ｃで支持される。
【００３２】
枕１の中央仰向けエリア（頭載置部位および首載置部位）の高さがおおよそ自身の頸椎のカーブの深さに合っていれば、使用者は、図４中に示すように、左側に寝返って頭および首を左横向きエリアに移動させ、枕１の左横向きエリアの高さがおおよそ自身の右側頭部と右肩との段差に合っているかどうかを確かめる。この横向き寝姿勢では、使用者の頭は頭載置部位内袋３１の左内袋部３１３の反発支持力Ｄで支持され、使用者の首は首載置部位内袋３２の左内袋部３２２の反発支持力Ｅで支持される。
【００３３】
同様に、使用者は、図４中に示すように、右側に寝返って頭および首を右横向きエリアに移動させ、枕１の右横向きエリアの高さがおおよそ自身の左側頭部と左肩との段差に合っているかどうかを確かめる。この横向き寝姿勢では、使用者の頭は頭載置部位内袋３１の右内袋部３１４の反発支持力Ｄで支持され、使用者の首は首載置部位内袋３２の右内袋部３２３の反発支持力Ｅで支持される。
【００３４】
このようにして、枕１の中央仰向けエリア（頭載置部位および首載置部位）、左横向きエリアおよび右横向きエリアの高さを確認し、上記で枕１の中央仰向けエリア（頭載置部位および首載置部位）、左横向きエリアおよび／または右横向きエリアの高さに不具合があれば、使用者は、枕１を手にとり、ファスナー２１ａおよび／または２２ａを開閉することにより、枕外袋２の頭載置部位収納部２１および／または首載置部位収納部２２内から頭載置部位内袋３１および／または首載置部位内袋３２を取り出し、前中央内袋部３１１、後中央内袋部３１２、左内袋部３１３および／または右内袋部３１４あるいは中央内袋部３２１、左内袋部３２２および右内袋部３２３内に詰めた所望の中材を所望の量だけ増減させて調節を行う。
【００３５】
上記のような枕１の中央仰向けエリア（頭載置部位および首載置部位）、左横向きエリアおよび右横向きエリアの高さの確認により、枕１の中央仰向けエリア（頭載置部位および首載置部位）、左横向きエリアおよび／または右横向きエリアの高さが自身にほぼ適していれば、使用者は、必要に応じて、枕外袋２の空気チューブ挿入部２３に空気チューブ４を挿入する。この際には、使用者は、長尺定規等の補助具（図示せず）の先端部を挿入補助用ポケット４３に挿し込み、補助具を空気チューブ４ともども空気チューブ挿入部２３に深く挿入し、しかる後に補助具だけを空気チューブ挿入部２３から引き出すようにする。
【００３６】
ここでは、例えば、図１（ａ）および（ｂ）に示すように、前側および後側の２つの空気チューブ挿入部２３、２３に２つの空気チューブ４を挿入したとする。
【００３７】
次に、使用者は、前側および後側の２つの空気チューブ挿入部２３、２３に２つの空気チューブ４を挿入した状態から、図５に示すように、空気注入ポンプ（図示せず）を操作して空気チューブ４に空気を注入する。空気チューブ４に空気を注入して各空気チューブ４の空気の注入量をそれぞれ調節することにより、枕１の頭載置部位および首載置部位の高さを個別に調節する。高さ調節後、空気注入逆止弁４２を閉じることによって、空気チューブ４内の空気の注入量はそのまま維持される。
【００３８】
以上により、枕１の頭載置部位および首載置部位の高さが個別に調節され、使用者の頭および首が空気チューブ４の空気圧によっても支持され、使用者は仰向け寝姿勢および横向き寝姿勢のいずれであっても自身に適した枕１の頭載置部位および首載置部位の高さを得ることができる。
【００３９】
実施例１に係る寝具としての枕１は、一旦適切な高さに調節した後でも、さらに空気チューブ４を追加挿入したり、取り外したりして枕１の頭載置部位および首載置部位の高さを個別に調節することができる。また、挿入されている各空気チューブ４に対して空気を抜いたり、注入したりすることによっても、枕１の頭載置部位および首載置部位の高さを個別に調節することができる。
【００４０】
このように、実施例１に係る寝具としての枕１においては、空気チューブ４を枕外袋２の下面側に形成された空気チューブ挿入部２３に挿入して、使用者が頭および首を枕１に載せた状態で、空気チューブ４に空気を注入して各空気チューブ４の空気の注入量をそれぞれ調節するようにしたので、中央仰向けエリア（頭載置部位および首載置部位）を中材ばかりでなく、空気チューブ４でも支持することができ、使用者に最も適した姿勢で頭および首を確実に支持することができる。また、各空気チューブ４の空気の注入量を空気チューブ４毎に調節できるので、複数の空気チューブ４でそれぞれ空気の注入量を適切に設定して、支持する頭および首の荷重を適切に分担することができる。
【００４１】
また、実施例１に係る寝具としての枕１においては、頭載置部位内袋３１が前中央内袋部３１１、後中央内袋部３１２、左内袋部３１４および右内袋部３１５から構成され、首載置部位内袋３２が、中央内袋部３２１、左内袋部３２２および右内袋部３２３から構成されているので、空気により枕１の頭載置部位および首載置部位の高さを、使用者の頸椎のカーブの深さに合わせて個別に調節できるとともに、枕１の横向きエリアの高さを、使用者の頭側部と肩との段差に合わせて個別に調節できるという効果がある。
【００４２】
なお、実施例１に係る寝具としての枕１において、頭載置部位内袋３１の前中央内袋部３１１、後中央内袋部３１２、左内袋部３１３および右内袋部３１４は一体的に形成されている構成であるが、これに限らず、これらはそれぞれ別体でファスナー、ボタン、スナップの嵌合等により連結・分離自在に形成することもできる。同様に、首載置部位内袋３２の中央内袋部３２１、左内袋部３２２および右内袋部３２３は一体的に形成されている構成であるが、これらはそれぞれ別体でファスナー、ボタン、スナップの嵌合等により連結・分離自在に形成することもできる。
【実施例２】
【００４３】
本考案の実施例２に係る寝具としての敷布団５を図６ないし図８に基づいて説明する。図６は、本考案の実施例２に係る寝具としての敷布団５の上面斜視図、図７（ａ）および（ｂ）は実施例２に係る寝具としての敷布団５の上面斜視図および下面図、図８は実施例２に係る寝具としての敷布団５における空気チューブ９の平面図である。
【００４４】
本実施例２に係る寝具としての敷布団５は、図６ないし図８に示すように、敷布団外袋６と、敷布団内袋７と、弾性フォーム板体８と、空気チューブ９とから、その主要部が構成されている。
【００４５】
敷布団外袋６は、図６に示すように、上面側が通気性等のためにハニカムメッシュ部６１で形成されており、側周面がキルト部６２で形成され、キルト部６２の一側面の下側縁に沿ってファスナー６２ａが取り付けられている。
【００４６】
敷布団内袋７は、図７（ａ）に示すように、上面側および側面側がメッシュ部で形成され、側面側に取り付けられたファスナー７ａを開閉することにより、弾性フォーム板体８を着脱自在に収納できるようになっている。また、敷布団内袋７の下面側には、図７（ｂ）に示すように、敷布団５の左右方向（短手方向）の空気チューブ挿入部７１が、敷布団５の前後（長手方向）に沿って複数（図示は１５個）連設されている。
【００４７】
弾性フォーム板体８は、図７（ａ）に示すように、低反発性ポリウレタンフォーム等で使用者の身体を載せることができる大きさの長方形板状に形成されており、表面には体圧分散のためのプロファイル（波状突起）が形成されている。
【００４８】
空気チューブ９は、図８に示すように、ポリ塩化ビニル等のシート部材で熱圧着等により気密性の袋状に形成された長尺袋状部９１と、長尺袋状部９１の一端部に空気を注入するために取り付けられた空気注入逆止弁９２と、長尺袋状部９１の他端部の一側面に貼設され空気注入逆止弁９２側に開口する挿入補助用ポケット９３とから構成されている。空気チューブ９は、通常、敷布団５に対して複数付属されていて、空気チューブ挿入部７１の１つ以上に挿入して使用される。例えば、敷布団５を部分的に高くしたい使用者の身体部位のカーブに対応する長手方向部位の空気チューブ挿入部７１に空気チューブ９をそれぞれ挿入し、各空気チューブ９に空気を注入して高さを部分的に調節する。なお、空気チューブ９に対し空気注入逆止弁９２を通じて空気を注入する空気注入手段として、空気注入ポンプ（図示せず）等を使用することができる。
【００４９】
次に、このように構成された実施例２に係る寝具としての敷布団５の使用方法について説明する。
【００５０】
まず、使用者が敷布団５上に仰向けに寝ころんだ状態で、使用者の身体部位のカーブに合わせて敷布団５の長手方向部位の高さを部分的に調節するために、敷布団５の高さを調整する長手方向部位にある１つ以上の空気チューブ挿入部７１に１つ以上の空気チューブ９をそれぞれ挿入する。この際、長尺定規等の補助具の先端部を挿入補助用ポケット９３に挿し込み、補助具を空気チューブ９ともども空気チューブ挿入部７１に挿入し、しかる後に補助具だけを空気チューブ挿入部７１から引き出すようにする。
【００５１】
次に、空気注入ポンプ（図示せず）を使用して、空気注入逆止弁９２を通じて各空気チューブ９に空気を注入する。すると、各空気チューブ９内の空気の注入量に応じて敷布団５の長手方向部位の高さが部分的に調節される。高さ調節後、空気注入逆止弁９２を閉じることによって、空気チューブ９内の空気の注入量はそのまま維持される。
【００５２】
実施例２に係る寝具としての敷布団５は、実施例１に係る寝具としての枕１と同様に、一旦適切な高さに部分的に調節した後でも、さらに空気チューブ９を追加挿入したり、取り外したりして敷布団５の長手方向部位の高さを部分的に調節することができる。また、挿入されている各空気チューブ９に対して空気を抜いたり、注入したりすることによっても、敷布団５の長手方向部位の高さを部分的に調節することができる。
【００５３】
以上のように、実施例２に係る寝具としての敷布団５においては、敷布団内袋７の下面側の空気チューブ挿入部７１内に空気チューブ９を挿入し、各空気チューブ９の空気の注入量を調節することにより、敷布団５の長手方向部位の高さを部分的に調節することができることから、使用者が仰向けまたは横向きに寝た状態で敷布団５の長手方向部位の高さを部分的に調節でき、使用者は、自身の身体部位のカーブに合わせた最も適した姿勢で敷布団５に寝ることができる。
【００５４】
以上、本考案の各実施例を説明したが、これらはあくまで例示にすぎず、本考案はこれらに限定されるものではなく、実用新案登録請求の範囲の趣旨を逸脱しない限りにおいて、当業者の知識に基づく種々の変更が可能である。
【産業上の利用可能性】
【００５５】
本考案の寝具は、１つ以上の空気チューブを複数配設できるようしたことにより、各空気チューブの空気の注入量によって高さを部分的に調節することができ、枕，敷布団等の寝具に幅広く適用することができる。
【符号の説明】
【００５６】
１ 枕
２ 枕外袋
４  空気チューブ
５ 敷布団
６ 敷布団外袋
７ 敷布団内袋
８  弾性フォーム板体
９ 空気チューブ
２１  頭載置部位収納部
２１ａ  ファスナー
２２  首載置部位収納部
２２ａ  ファスナー
２３  空気チューブ挿入部
３１  頭載置部位内袋
３２  首載置部位内袋
４１  長尺袋状部
４２  空気注入逆止弁
４３  挿入補助用ポケット
６１  ハニカムメッシュ部
６２  キルト部
６２ａ  ファスナー
９１  長尺袋状部
９２  空気注入逆止弁
９３  挿入補助用ポケット
３１１  前中央内袋部
３１１ａ  ファスナー
３１２  後中央内袋部
３１２ａ  ファスナー
３１３  左内袋部
３１３ａ  ファスナー
３１４  右内袋部
３１４ａ  ファスナー
３２１  中央内袋部
３２１ａ  ファスナー
３２２  左内袋部
３２２ａ  ファスナー
３２３  右内袋部
３２３ａ  ファスナー
【図１】
0003163913.tif 000003
【図２】
0003163913.tif 000004
【図３】
0003163913.tif 000005
【図４】
0003163913.tif 000006
【図５】
0003163913.tif 000007
【図６】
0003163913.tif 000008
【図７】
0003163913.tif 000009
【図８】
0003163913.tif 000010